(57)【要約】      （修正有）【課題】  複数の管理者がネットワークを管理する構成において、制御に係る人的ミスを防止し、セキュリティの安全性を保つ。【解決手段】第一サーバαが、第一クライアント１から送信された、第一クライアント１の管理領域以外の領域に設置された装置に係る制御コマンド群を含む第一制御コマンド群を、格納手段に保持している管理領域に係る情報に基づいて解析、第一サーバαが、解析結果に基づいて、第一制御コマンド群を、装置の管理元であるクライアント別に分類、第一サーバαが、分類された制御コマンド群に係る承認依頼要求を、対応するクライアントに送信、第一サーバαが、送信した送信先のクライアントから承認結果を含む承認依頼応答を受信、第一サーバαが、分類された制御コマンド群を、対応する装置に送信することによって上記課題を解決する。【選択図】  図１０
2006148595.tif 000002
【特許請求の範囲】
【請求項１】
自身の管理領域に設置された少なくとも１つ以上の装置を、対応するサーバを介して各々管理する複数のクライアントを含むネットワーク管理システムにおけるネットワーク管理方法であって、
前記サーバの一つである第一サーバが、前記クライアントの１つである第一クライアントから送信された、前記第一クライアントの管理領域以外の領域に設置された装置に係る制御コマンド群を含む第一制御コマンド群を、格納手段に保持している管理領域に係る情報に基づいて解析する解析段階と、
前記第一サーバが、前記解析段階において解析した結果に基づいて、前記第一制御コマンド群を、装置の管理元であるクライアント別に分類する分類段階と、
前記第一サーバが、前記分類段階において分類された制御コマンド群に係る承認依頼要求を、対応するクライアントに送信する第一承認依頼要求送信段階と、
前記第一サーバが、前記第一承認依頼要求送信段階において送信した送信先のクライアントから承認結果を含む承認依頼応答を受信する第一承認依頼応答受信段階と、
前記第一サーバが、前記分類段階において分類された制御コマンド群を、対応する装置に送信する制御コマンド群送信段階と、
を有することを特徴とするネットワーク管理方法。
【請求項２】
前記第一承認依頼要求送信段階では、前記第一サーバが、複数のクライアントに対して、対応する承認依頼要求を送信し、
前記制御コマンド群送信段階では、前記第一承認依頼応答受信段階において受信した全ての承認依頼応答に、承認した旨の承認結果が含まれていた場合、前記第一サーバが、前記分類段階において分類された制御コマンド群を、対応する装置に送信することを特徴とする請求項１記載のネットワーク管理方法。
【請求項３】
前記第一承認依頼応答受信段階において受信した承認依頼応答に、一部の制御を承認し、他の制御を承認しない旨の承認結果が含まれていた場合、
前記制御コマンド群送信段階は、
前記第一サーバが、該承認結果を、前記第一制御コマンド群の送信元である前記第一クライアントに送信する承認結果送信段階と、
前記第一サーバが、前記承認結果送信段階で送信した送信先の前記第一クライアントから受信した承認結果確認応答に応じて、前記分類段階において分類された制御コマンド群の一部を、対応する装置に送信する制御コマンド群一部送信段階と、
を含むことを特徴とする請求項１又は２記載のネットワーク管理方法。
【請求項４】
前記ネットワーク管理システムは、各クライアントの管理者に応じて、承認者に対応する少なくとも１つ以上の承認者装置を更に含み、
前記第一サーバが、前記分類段階において分類された制御コマンド群に係る承認依頼要求を、管理領域に係る情報に基づいて、対応する前記承認者装置に送信する第二承認依頼要求送信段階と、
前記第一サーバが、前記第二承認依頼要求送信段階において送信した送信先の承認者装置から承認結果を含む承認依頼応答を受信する第二承認依頼応答受信段階と、
を更に有することを特徴とする請求項１乃至３何れか一項記載のネットワーク管理方法。
【請求項５】
前記第一サーバが、前記第一承認依頼応答受信段階後、前記分類段階において分類された制御コマンド群に含まれる制御コマンドの実行確認要求を、該制御コマンド群の制御コマンドの数に応じて一つずつ対応するクライアントに送信し、対応する確認応答を受信する制御コマンド確認要求送受信段階を更に有し、
前記制御コマンド群送信段階は、前記クライアントの確認応答に応じて、対応する制御コマンドを一つずつ対応する装置に送信することを特徴とする請求項１乃至４何れか一項記載のネットワーク管理方法。
【発明の詳細な説明】
【技術分野】
【０００１】
本発明は、ネットワーク管理方法に関する。
【背景技術】
【０００２】
従来、ネットワークを管理する管理装置等は、ネットワークに対して１つ存在していた。つまり、ネットワークと、管理装置と、が１対１の形を取るのが一般的であった。しかしながら、会社同士（例えば、関連会社同士）等の繋がりが多くなり、１つのネットワークを複数の会社で共有する形態が近年増えてきた。
【０００３】
このように１つのネットワークを複数の会社で共有する場合、一般的にネットワークは大きなものとなり、例えば管理装置１は、該ネットワークの内、関東エリアを管理し、管理装置２は、該ネットワークの内、東海エリアを管理し、管理装置３は、該ネットワークの内、関西エリアを管理する等といったように、各々管理範囲（管理エリア）を設定された複数の管理装置が、１つのネットワークに設置され、複数のネットワーク管理者は、各々の管理装置を用いて、該１つのネットワークの、ある管理領域を管理していた。
【０００４】
このように、複数の管理者が１つのネットワークを管理する構成において、例えばある管理者（管理者Ａ）が自身の管理装置（管理装置Ａ）を用いて、該管理装置Ａの管理範囲以外のネットワーク装置等に対して、例えばパスの設定を依頼する等といった制御依頼を行う場合、従来は、該管理者Ａが、行いたい制御内容等を文書等に書いて、該文書を、前記ネットワーク装置を管理している管理者（管理者Ｂ）に送信し、該文書を受け取った管理者Ｂが、自身の管理装置（管理装置Ｂ）を用いて、依頼された制御内容、例えばパスの設定等を、手動で実行していた。
【０００５】
また、従来、別の方法としては、管理装置の管理範囲を一時的に変更し、例えば前記ネットワーク装置を管理装置Ａの管理下において、管理者Ａが例えばパスの設定等を手動で行った後、管理範囲を元に戻して、前記ネットワーク装置を、管理装置Ｂの管理下にする等といった処理が行われていた。
【特許文献１】特開平０４−２００１３２号公報
【発明の開示】
【発明が解決しようとする課題】
【０００６】
しかしながら、上述したように、制御依頼元の管理者が制御内容の手順をまとめ、依頼先の管理者が該制御内容に基づいて、制御を実行する方法では、依頼元での制御手順の作成や、依頼先での制御の実行等、人手を介した作業が多く発生するため、人的ミスが発生する可能が高い問題があった。
【０００７】
また、上述したように、管理範囲を変更する方法では、誰が管理範囲の変更を許可するのか等の問題や、管理範囲や、責任の所在が曖昧になり、セキュリティが弱くなる問題等があった。
【０００８】
本発明は、上記の点に鑑みなされたもので、複数の管理者がネットワークを管理する構成において、制御に係る人的ミスを防止し、セキュリティの安全性を保ったままネットワークを管理することを目的とする。
【課題を解決するための手段】
【０００９】
そこで、上記課題を解決するため、本発明は、自身の管理領域に設置された少なくとも１つ以上の装置を、対応するサーバを介して各々管理する複数のクライアントを含むネットワーク管理システムにおけるネットワーク管理方法であって、前記サーバの一つである第一サーバが、前記クライアントの１つである第一クライアントから送信された、前記第一クライアントの管理領域以外の領域に設置された装置に係る制御コマンド群を含む第一制御コマンド群を、格納手段に保持している管理領域に係る情報に基づいて解析する解析段階と、前記第一サーバが、前記解析段階において解析した結果に基づいて、前記第一制御コマンド群を、装置の管理元であるクライアント別に分類する分類段階と、前記第一サーバが、前記分類段階において分類された制御コマンド群に係る承認依頼要求を、対応するクライアントに送信する第一承認依頼要求送信段階と、前記第一サーバが、前記第一承認依頼要求送信段階において送信した送信先のクライアントから承認結果を含む承認依頼応答を受信する第一承認依頼応答受信段階と、前記第一サーバが、前記分類段階において分類された制御コマンド群を、対応する装置に送信する制御コマンド群送信段階と、を有することを特徴とする。
【００１０】
本発明によれば、本発明は、自身の管理領域に設置された少なくとも１つ以上の装置を、対応するサーバを介して各々管理する複数のクライアントを含むネットワーク管理システムにおけるネットワーク管理方法であって、前記サーバの一つである第一サーバが、前記クライアントの１つである第一クライアントから送信された、前記第一クライアントの管理領域以外の領域に設置された装置に係る制御コマンド群を含む第一制御コマンド群を、格納手段に保持している管理領域に係る情報に基づいて解析する解析段階と、前記第一サーバが、前記解析段階において解析した結果に基づいて、前記第一制御コマンド群を、装置の管理元であるクライアント別に分類する分類段階と、前記第一サーバが、前記分類段階において分類された制御コマンド群に係る承認依頼要求を、対応するクライアントに送信する第一承認依頼要求送信段階と、前記第一サーバが、前記第一承認依頼要求送信段階において送信した送信先のクライアントから承認結果を含む承認依頼応答を受信する第一承認依頼応答受信段階と、前記第一サーバが、前記分類段階において分類された制御コマンド群を、対応する装置に送信する制御コマンド群送信段階と、を有することにより、複数の管理者がネットワークを管理する構成において、制御に係る人的ミスを防止し、セキュリティの安全性を保ったままネットワークを管理することができる。
【発明の効果】
【００１１】
本発明によれば、複数の管理者がネットワークを管理する構成において、制御に係る人的ミスを防止し、セキュリティの安全性を保ったままネットワークを管理することができる。
【発明を実施するための最良の形態】
【００１２】
以下、本発明の実施の形態について図面に基づいて説明する。図１は、複数の管理者によって管理されるネットワークの一例を示す図である。
【００１３】
図１に示されるように、クライアント１は、装置Ａ及び装置Ｂを管理対象とし、クライアント２は、装置Ｃ及び装置Ｄを管理対象としている。また、クライアント３は、装置Ｅ、装置Ｆ、装置Ｇ及び装置Ｈを管理対象としている。
【００１４】
サーバαは、クライアント１から送信された制御コマンド群（又は制御コマンド）を、対応する装置Ａ及び／又は装置Ｂに送信したり、クライアント２から送信された制御コマンド群（又は制御コマンド）を、対応する装置Ｃ及び／又は装置Ｄに送信したりする。また、サーバαは、クライアント１又はクライアント２からの送信された制御コマンド群（又は制御コマンド）に基づいて、各クライアントが実行した制御結果等を対応するクライアントに送信する。
【００１５】
一方、サーバβは、クライアント３から送信された送信された制御コマンド群（又は制御コマンド）を、対応する装置Ｅ及び／又は装置Ｆ及び／又は装置Ｇ及び／又は装置Ｈに送信したり、送信した制御コマンド群（又は制御コマンド）に基づいて、各クライアントが実行した制御結果等をクライアント３に送信したりする。
【００１６】
また、サーバα及びサーバβは、後述するように、管理領域情報を有し、例えばあるクライアントから送信された複数の制御コマンド群を含む制御コマンド群を、管理領域情報に基づいて解析し、対応するクライアント別に分類し、該分類した制御コマンド群に係る承認依頼要求を、対応するクライアントに送信し、該クライアントから承認する旨の承認結果を受け取ると、対応する装置に、対応する制御コマンド群を送信する。
【００１７】
以下、サーバα及びサーバβのハードウェア構成の一例を、図２に示す。なお、サーバα及びサーバβのことを、以下単にサーバともいう。図２は、サーバの一例のハードウェア構成図である。
【００１８】
図２に示されるように、サーバは、それぞれバスで相互に接続されている入力装置１１と、表示装置１２と、ドライブ装置１３と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、ＣＰＵ（Ｃｅｎｔｒａｌ  Ｐｒｏｃｅｓｓｉｎｇ  Ｕｎｉｔ）１７と、インターフェース装置１８と、ＨＤＤ（Ｈａｒｄ  Ｄｉｓｋ  Ｄｒｉｖｅ）１９と、を含む。
【００１９】
入力装置１１は、サーバの利用者（ネットワークの管理者）が操作するキーボード及びマウス等で構成され、サーバに各種操作信号を入力するのに用いられる。表示装置１２は、サーバの利用者が利用するディスプレイ等で構成され、各種情報を表示する。インターフェース装置１８は、サーバをネットワークに接続するインターフェースである。
【００２０】
後述するサーバの各機能又はサーバが実行する各処理に対応するプログラム（以下、単にネットワーク管理プログラムという）は、例えば、ＣＤ−ＲＯＭなどの記録媒体１４によってサーバに提供されるか、ネットワークを通じてダウンロードされる。記録媒体１４は、ドライブ装置１３にセットされ、データやネットワーク管理プログラムが記録媒体１４からドライブ装置１３を介してＨＤＤ１９にインストールされる。
【００２１】
ＲＯＭ１５は、データ等を格納する。ＲＡＭ１６は、例えばサーバの起動時にＨＤＤ１９からネットワーク管理プログラムを読み出して格納する。ＣＰＵ１７は、ＲＡＭ１６に読み出され格納されたネットワーク管理プログラムに従って処理を実行する。
【００２２】
ＨＤＤ１９は、ネットワーク管理プログラムや、後述する管理領域情報等のデータ等を格納する。
【００２３】
以下、クライアント１、クライアント２及びクライアント３のハードウェア構成の一例を、図３に示す。なお、クライアント１、クライアント２及びクライアント３のことを、以下単にクライアントともいう。図３は、クライアントの一例のハードウェア構成図である。
【００２４】
図３に示されるように、クライアントは、それぞれバスで相互に接続されている入力装置２１と、表示装置２２と、ドライブ装置２３と、ＲＯＭ２５と、ＲＡＭ２６と、ＣＰＵ２７と、インターフェース装置２８と、ＨＤＤ２９と、を含む。
【００２５】
入力装置２１は、クライアントの利用者（ネットワークの管理者）が操作するキーボード及びマウス等で構成され、クライアントに各種操作信号を入力するのに用いられる。表示装置２２は、クライアントの利用者が利用するディスプレイ等で構成され、各種情報を表示する。インターフェース装置２８は、クライアントをネットワークに接続するインターフェースである。
【００２６】
後述するクライアントの各機能又はクライアントが実行する各処理に対応するプログラム（以下、単にクライアントプログラムという）は、例えば、ＣＤ−ＲＯＭなどの記録媒体２４によってクライアントに提供されるか、ネットワークを通じてダウンロードされる。記録媒体２４は、ドライブ装置２３にセットされ、データやクライアントプログラムが記録媒体２４からドライブ装置２３を介してＨＤＤ２９にインストールされる。
【００２７】
ＲＯＭ２５は、データ等を格納する。ＲＡＭ２６は、例えばクライアントの起動時にＨＤＤ２９からクライアントプログラムを読み出して格納する。ＣＰＵ２７は、ＲＡＭ２６に読み出され格納されたクライアントプログラムに従って処理を実行する。
【００２８】
ＨＤＤ２９は、クライアントプログラムや、データ等を格納する。
【００２９】
以下、サーバの一例の機能構成を、図４に示す。図４は、サーバの一例の機能構成図である。図４に示されるように、サーバは、管理領域情報管理部５１と、解析部５２と、分類部５３と、制御コマンド群管理部５４と、承認依頼要求送信部５５と、承認依頼応答受信部５６と、制御コマンド群送信部５７と、を含む。
【００３０】
管理領域情報管理部５１は、後述する図８に示すような管理領域情報を管理する。解析部５２は、クライアントから送信されてきた制御コマンド群を、管理領域情報等に基づいて解析する。分類部５３は、解析部５２が解析した解析結果及び管理領域情報等に基づいて、制御コマンド群（又は制御コマンド）をクライアント別に分類する。
【００３１】
承認依頼要求送信部５５は、制御コマンド群（又は制御コマンド）に係る承認依頼要求を対応するクライアント又は後述する承認者の端末装置等に送信する。承認依頼応答受信部５６は、承認依頼要求送信部５５が送信した送信先のクライアント又は後述する承認者の端末装置等から、承認結果を含む承認依頼応答を受信する。制御コマンド群送信部５７は、制御コマンド群（又は制御コマンド）を対応する装置に送信する。
【００３２】
以下、クライアントの機能構成の一例を、図５に示す。図５は、クライアントの一例の機能構成図である。図５に示されるように、クライアントは、画面制御部６１と、画面表示部６２と、制御コマンド群送信部６３と、承認依頼要求受信部６４と、承認依頼応答送信部６５と、を含む。
【００３３】
画面制御部６１は、画面に係る制御を行う。画面表示部６２は、後述するパス設定画面３１や、制御承認依頼内容表示画面３２、承認結果表示画面３３等をクライアントのディスプレイ等に表示する。制御コマンド群送信部６３は、例えばパス設定画面３１等を用いてネットワークの管理者等によって設定された制御コマンド群（又は制御コマンド）を、対応するサーバに送信する。
【００３４】
承認依頼要求受信部６４は、対応するサーバより、制御コマンド群（又は制御コマンド）に係る承認依頼要求を受信する。使用人依頼応答送信部６５は、例えば制御承認依頼内容表示画面３２等を用いてネットワークの管理者等が承認した承認結果を含む承認依頼応答を、対応するサーバに送信する。
【００３５】
以下、パス設定画面３１の一例を、図６に示す。図６は、パス設定画面の一例を示す図である。
【００３６】
例えば、ネットワークの管理者（管理者１）は、図６に示されるようなパス設定画面３１をクライアント１のディスプレイに表示させ、該画面を用いて、自身（又はクライアント１）の管理領域以外の領域に設置された装置（例えば、装置Ｃ及び装置Ｄ）に係る設定等を行い、設定ボタンを押す。
【００３７】
クライアント１は、管理者１に設定ボタンを押されると、設定された情報等に基づいて、管理領域内の装置や、管理領域外の装置に係る制御コマンド群を作成し、対応するサーバ（例えば、サーバα）に送信する。
【００３８】
以下、サーバ内での制御コマンド群の解析、分類処理の一例を、図７に示す。図７は、サーバ内での制御コマンド群の解析、分類処理の概念図である。
【００３９】
例えばサーバαは、クライアント１より図７の制御コマンド群Ａに示されるような制御コマンド群を受信すると、該制御コマンド群Ａと、後述する図８に示されるような管理領域情報と、に基づいて、制御コマンド群（又は制御コマンド）を解析し、送信先（管理元）のクライアント別に分類する。
【００４０】
以下、管理領域情報の一例を図８に示す。図８は、管理領域情報の一例を示す図である。なお、図８に示される管理領域情報は、サーバαが保持する管理領域情報の一例である。
【００４１】
図８に示されるように、管理領域情報には、管理対象の装置名（ＴＩＤ）と、該装置の管理元のクライアント名、該クライアントの管理者名、管理者が行う制御処理内容等に対する承認者情報等が含まれている。なお、サーバは、例えば自身が管理している装置以外の装置（例えば、サーバαの場合は、装置Ｅ、装置Ｆ、装置Ｇ及び装置Ｈ等）の情報が必要な場合は、サーバ連携装置１０等を介して他のサーバより必要な情報を取得する。
【００４２】
なお、本実施例では、管理領域情報は、サーバが有しているものとして説明を行っているが、例えば、サーバ連携装置１０等が保持、管理しており、サーバは必要に応じて、必要な管理領域情報をサーバ連携装置１０等から取得するようにしてもよい。但し、説明の簡略化のため、本実施例では、管理領域情報は、サーバが保持、管理しているものとして説明を行う。
【００４３】
以下、サーバαにおける制御コマンド群の解析、分類処理の一例を、図９に示す。図９は、サーバにおける制御コマンド群の解析、分類処理の一例のフローチャートである。なお、図９では、図７に示したような制御コマンド群Ａがクライアントより送信されてきたものとして説明を行う。
【００４４】
サーバαは、制御コマンド群Ａを受信すると、ステップＳ１０において、１コマンド、制御コマンドを読み出す。ステップＳ１０に続いてステップＳ１１に進み、サーバαは、読み出した制御コマンドに含まれている管理対象の装置名（ＴＩＤ）を取り出す。
【００４５】
ステップＳ１１に続いてステップＳ１２に進み、サーバαは、ステップＳ１１において取り出したＴＩＤに基づいて、管理領域情報を検索し、管理領域情報が有ると判定すると（ステップＳ１２において「有り」）、ステップＳ１４に進み、管理領域情報が無いと判定すると（ステップＳ１２において「無し」）、ステップＳ１３に進む。
【００４６】
ステップＳ１３では、サーバαがエラー処理を実行し、処理を終了する。一方、ステップＳ１４では、サーバαが、ＴＩＤを検索キーに、管理領域情報を検索し、対応する管理元を取得し、コマンドを、管理元別に振り分ける。
【００４７】
ステップＳ１４に続いてステップＳ１５に進み、サーバαは、ステップＳ１４において振り分けた制御コマンドを、管理元別にＲＡＭ１６上等に格納する。ステップＳ１５に続いてステップＳ１６に進み、サーバαは、制御コマンドがまだ残っているか否かを判定する。サーバαは、制御コマンドがまだ残っていると判定すると（ステップＳ１６において「有り」）、ステップＳ１０からの処理を繰り返し、制御コマンドがもう残っていないと判定すると（ステップＳ１６において「無し」）、処理を終了する。
【００４８】
図９に示したような処理を実行した結果、ＯＵＴＰＵＴとして、管理元がクライアント１の制御コマンド群Ｂや、管理元がクライアント２の制御コマンド群Ｃ、及び制御コマンド群Ａに、装置Ｅ〜Ｈへの制御コマンドがあった場合、管理元がクライアント３の制御コマンド群Ｄが得られる。
【００４９】
以下、ネットワークの管理、制御処理の例を、実施例１から実施例５を用いて説明する。
【実施例１】
【００５０】
図１０は、ネットワークの管理、制御処理を説明するための図（その１）である。図１０に示されるように、例えばクライアント１は、当該クライアント１のユーザである管理者Ａの要求に応じて、制御コマンド群Ａを作成し（図１０の（１））、サーバαに制御コマンド群Ａを送信する（図１０の（２））。
【００５１】
サーバαは、制御コマンド群Ａを受信すると図９に示したような処理を実行し、制御コマンド群Ａを、解析、分類する（図１０の（３））。例えば、サーバαは、制御コマンド群Ａを、図７に示したように、管理元がクライアント１の制御コマンド群Ｂと、管理元がクライアント２の制御コマンド群Ｃと、に解析、分類する。
【００５２】
次にサーバαは、クライアント２へ、制御コマンド群Ｃの承認依頼要求を送信する（図１０の（４））。クライアント２は、サーバαより、制御コマンド群Ｃの承認依頼要求を受信すると、例えば後述する図１１に示されるような制御承認依頼内容表示画面３２をクライアント２のディスプレイ等に表示する。
【００５３】
ここで、制御承認依頼内容表示画面３２の一例を、図１１に示す。図１１は、制御承認依頼内容表示画面を示す図（その１）である。
【００５４】
クライアント２のユーザである管理者Ｌは、例えば図１１に示されるような制御承認依頼内容表示画面３２を用いて、制御コマンド群Ｃに係る制御内容を確認し、制御を許可（承認）する場合は、チェックボックスにチェックをいれる（図１０の（５））。
【００５５】
クライアント２は、例えば管理者Ｌによって、承認ボタンを押されると、管理者Ｌの承認結果を含む承認依頼応答を、サーバαに送信する（図１０の（６））。なお、管理者Ｌは、制御を許可しない（否認する）場合は、図１１に示される制御承認依頼内容表示画面３２において、チェックボックスにチェックを入れず、承認ボタンが押すものとする。
【００５６】
サーバαは、クライアント２より受信した承認依頼応答に含まれる承認結果に基づいて、例えば管理者Ｌが制御内容を承認したと判定すると、制御コマンド群Ｂを装置Ａ及び装置Ｂに送信し、制御コマンド群Ｃを装置Ｃ及び装置Ｄに送信し、装置からの応答を例えばクライアント１に送信する（図１０の（７））。
【００５７】
一方、サーバαは、クライアント２より受信した承認依頼応答に含まれる承認結果に基づいて、例えば管理者Ｌが制御内容を否認したと判定すると、否認した旨の結果をクライアント１に送信する（図１０の８）。
【００５８】
図１０に示したような処理を行うことによって、ある管理者が依頼した制御が、該制御に係る他の管理者によって、制御の内容が確認され、承認されると、ある管理者の管理領域内にある装置と、管理領域外にある装置（他の管理者の管理領域内にある装置）と、の両方で制御（又は設定）が自動実行される。
【実施例２】
【００５９】
図１２は、ネットワークの管理、制御処理を説明するための図（その２）である。図１２に示されるように、例えばクライアント１は、当該クライアント１のユーザである管理者Ａの要求に応じて、制御コマンド群Ａを作成し（図１２の（１））、サーバαに制御コマンド群Ａを送信する（図１２の（２））。
【００６０】
サーバαは、制御コマンド群Ａを受信すると図９に示したような処理を実行し、制御コマンド群Ａを、解析、分類する（図１２の（３））。例えば、サーバαは、制御コマンド群Ａを、管理元がクライアント１の制御コマンド群Ｂと、管理元がクライアント２の制御コマンド群Ｃと、管理元がクライアント３の制御コマンド群Ｄと、に解析、分類する。
【００６１】
次にサーバαは、クライアント２へ、制御コマンド群Ｃの承認依頼要求を送信する（図１２の（４））と共に、サーバ連携装置１０へ、制御コマンド群Ｄの承認依頼要求を送信する（図１２の（７））。
【００６２】
クライアント２は、サーバαより、制御コマンド群Ｃの承認依頼要求を受信すると、例えば図１１に示したような制御承認依頼内容表示画面３２をクライアント２のディスプレイ等に表示する。
【００６３】
クライアント２のユーザである管理者Ｌは、例えば図１１に示したような制御承認依頼内容表示画面３２を用いて、制御コマンド群Ｃに係る制御内容を確認し、制御を許可する場合は、チェックボックスにチェックをいれる（図１２の（５））。
【００６４】
クライアント２は、例えば管理者Ｌによって、承認ボタンを押されると、管理者Ｌの承認結果を含む承認依頼応答を、サーバαに送信する（図１２の（６））。
【００６５】
一方、サーバ連携装置１０は、サーバαより、制御コマンド群Ｄの承認依頼要求を受信すると、サーバβへ、該制御コマンド群Ｄの承認依頼要求を送信する（図１２の（８））。サーバβは、サーバ連携装置１０より、制御コマンド群Ｄの承認依頼要求を受信すると、クライアント３へ、該制御コマンド群Ｄの承認依頼要求を送信する（図１２の（９））。
【００６６】
クライアント３は、サーバβより、制御コマンド群Ｄの承認依頼要求を受信すると、制御承認依頼内容表示画面３２をクライアント３のディスプレイ等に表示する。
【００６７】
クライアント３のユーザである管理者Ｘは、制御承認依頼内容表示画面３２を用いて、制御コマンド群Ｄに係る制御内容を確認し、制御を許可する場合は、チェックボックスにチェックをいれる（図１２の（１０））。
【００６８】
クライアント３は、例えば管理者Ｘによって、承認ボタンを押されると、管理者Ｘの承認結果を含む承認依頼応答を、サーバβに送信する（図１２の（１１））。
【００６９】
サーバβは、クライアント３より、管理者Ｘの承認結果を含む承認依頼応答を受信すると、サーバ連携装置１０へ、該管理者Ｘの承認結果を含む承認依頼応答を送信する（図１２の（１２））。サーバ連携装置１０は、サーバβより、管理者Ｘの承認結果を含む承認依頼応答を受信すると、サーバαへ、該管理者Ｘの承認結果を含む承認依頼応答を送信する（図１２の（１３））。
【００７０】
サーバαは、クライアント２より受信した承認依頼応答に含まれる承認結果、及びサーバβや、サーバ連携装置１０を介してクライアント３より受信した承認依頼応答に含まれる承認結果に基づいて、例えば管理者Ｌ及び管理者Ｘが制御内容を承認したと判定すると、制御コマンド群Ｂを装置Ａ及び装置Ｂに送信し、制御コマンド群Ｃを装置Ｃ及び装置Ｄに送信し、装置からの応答を例えばクライアント１に送信する（図１２の（１４））と共に、制御コマンド群Ｄを含む、制御コマンド群Ｄの送信許可をサーバ連携装置１０に送信する（図１２の（１６））。
【００７１】
一方、サーバαは、クライアント２より受信した承認依頼応答に含まれる承認結果、及びサーバβや、サーバ連携装置１０を介してクライアント３より受信した承認依頼応答に含まれる承認結果に基づいて、例えば管理者Ｌ又は管理者Ｘが制御内容を否認したと判定すると、否認した旨の結果をクライアント１に送信する（図１２の（１５））。
【００７２】
サーバ連携装置１０は、サーバαより、制御コマンド群Ｄを含む、制御コマンド群Ｄの送信許可を受信すると、サーバβに、該制御コマンド群Ｄを含む、制御コマンド群Ｄの送信許可を送信する（図１２の（１７））。サーバβは、サーバ連携装置１０より、制御コマンド群Ｄを含む、制御コマンド群Ｄの送信許可を受信すると、制御コマンド群Ｄを装置Ｅ及び装置Ｆに送信し、装置からの応答を例えばクライアント３に送信する（図１２の（１８））。
【００７３】
図１２に示したような処理を行うことによって、ある管理者が依頼した制御が、該制御に係る他の管理者によって、制御の内容が確認され、全て承認されると、ある管理者の管理領域内にある装置と、管理領域外にある装置（他の管理者の管理領域内にある装置）と、の両方で制御（又は設定）が自動実行される。
【実施例３】
【００７４】
図１３は、ネットワークの管理、制御処理を説明するための図（その３）である。図１３に示されるように、例えばクライアント１は、当該クライアント１のユーザである管理者Ａの要求に応じて、制御コマンド群Ａを作成し（図１３の（１））、サーバαに制御コマンド群Ａを送信する（図１３の（２））。
【００７５】
サーバαは、制御コマンド群Ａを受信すると図９に示したような処理を実行し、制御コマンド群Ａを、解析、分類する（図１３の（３））。例えば、サーバαは、制御コマンド群Ａを、管理元がクライアント１の制御コマンド群Ｂと、管理元がクライアント２の制御コマンド群Ｃと、に解析、分類する。
【００７６】
次にサーバαは、クライアント２へ、制御コマンド群Ｃの承認依頼要求を送信する（図１３の（４））。クライアント２は、サーバαより、制御コマンド群Ｃの承認依頼要求を受信すると、例えば図１１に示したような制御承認依頼内容表示画面３２をクライアント２のディスプレイ等に表示する。
【００７７】
クライアント２のユーザである管理者Ｌは、例えば図１１に示したような制御承認依頼内容表示画面３２を用いて、制御コマンド群Ｃに係る制御内容を確認し、制御を許可（承認）する場合は、チェックボックスにチェックをいれる（図１３の（５））。
【００７８】
クライアント２は、例えば管理者Ｌによって、承認ボタンを押されると、管理者Ｌの承認結果を含む承認依頼応答を、サーバαに送信する（図１３の（６））。ここで、管理者Ｌは、図１１に示したような制御承認依頼内容表示画面３２を用いて、装置Ｃ分（つまり図１１においてＮｏ１からＮｏ３まで）を承認し、装置Ｄ分（つまり図１１においてＮｏ４からＮｏ６まで）を否認したものとする。
【００７９】
サーバαは、クライアント２より、承認依頼応答を受信すると、該承認依頼応答に含まれる承認結果を、クライアント１に送信する（図１３の（７））。クライアント１は、サーバαより、管理者Ｌの承認結果を受信すると、例えば後述する図１４に示されるような承認結果画面３３をクライアント１のディスプレイ等に表示する。
【００８０】
ここで、承認結果画面３３の一例を、図１４に示す。図１４は、承認結果画面の一例を示す図である。
【００８１】
クライアント1のユーザである管理者Ａは、例えば図１４に示されるような承認結果画面３３を用いて、依頼先のクライアントのユーザ（例えば、管理者Ｌ）の承認結果を確認し、該依頼先のクライアントのユーザの承認結果を承認する場合は、承認ボタンを押し、該依頼先のクライアントのユーザの承認結果を否認する場合は、キャンセルボタンを押す。クライアント１は、管理者Ａが承認ボタンを押すと、承認する旨（ＯＫ）をサーバαに送信し、管理者Ａがキャンセルボタンを押すと、否認する旨（ＮＧ）をサーバαに送信する（図１３の（８））。
【００８２】
サーバαは、クライアント１より、ＯＫを受け取ると、管理者Ａが、管理者Ｌの承認結果を承認したと判定し、制御コマンド群Ｂを装置Ａ及び装置Ｂに送信し、制御コマンド群Ｃを装置Ｃに送信し、装置からの応答を例えばクライアント１に送信する（図１３の（９））。一方、サーバαは、クライアント１よりＮＧを受け取ると、管理者Ａが、管理者Ｌの承認結果を否認したと判定し、全制御コマンド群を破棄する（図１３の（９））。
【００８３】
図１３に示したような処理を行うことによって、ある管理者が依頼した制御が、該制御に係る他の管理者によって、制御の内容が確認され、その一部が承認されると、依頼元のある管理者は、承認結果を確認し、該承認結果を承認すると、管理領域内にある装置と、管理領域外にある装置（他の管理者の管理領域内にある装置）と、の両方で、管理者が承認した制御（又は設定）が自動実行される。
【実施例４】
【００８４】
図１５は、ネットワークの管理、制御処理を説明するための図（その４）である。図１５に示されるように、例えばクライアント１は、当該クライアント１のユーザである管理者Ａの要求に応じて、制御コマンド群Ａを作成し（図１５の（１））、サーバαに制御コマンド群Ａを送信する（図１５の（２））。
【００８５】
サーバαは、制御コマンド群Ａを受信すると図９に示したような処理を実行し、制御コマンド群Ａを、解析、分類する（図１５の（３））。例えば、サーバαは、制御コマンド群Ａを、図７に示したように、管理元がクライアント１の制御コマンド群Ｂと、管理元がクライアント２の制御コマンド群Ｃと、に解析、分類する。
【００８６】
次にサーバαは、クライアント２へ、制御コマンド群Ｃの承認依頼要求を送信する（図１５の（４））。クライアント２は、サーバαより、制御コマンド群Ｃの承認依頼要求を受信すると、例えば図１１に示したような制御承認依頼内容表示画面３２をクライアント２のディスプレイ等に表示する。
【００８７】
クライアント２のユーザである管理者Ｌは、例えば図１１に示したような制御承認依頼内容表示画面３２を用いて、制御コマンド群Ｃに係る制御内容を確認し、制御を許可（承認）する場合は、チェックボックスにチェックをいれる（図１５の（５））。
【００８８】
クライアント２は、例えば管理者Ｌによって、承認ボタンを押されると、管理者Ｌの承認結果を含む承認依頼応答を、サーバαに送信する（図１５の（６））。
【００８９】
サーバαは、クライアント２より受信した承認依頼応答に含まれる承認結果に基づいて、例えば管理者Ｌが制御内容を承認したと判定すると、図８に示したような管理領域情報を参照し、管理領域情報に含まれる承認者の順に、該承認者の端末装置に、制御コマンド群Ｃの承認依頼要求を送信し、該端末装置より承認結果を含む承認依頼応答を受け取る（図１５の（７））。なお、ここで、承認者の端末装置に表示される制御承認依頼内容表示画面３２の一例を、図１６に示す。図１６は、制御承認依頼内容表示画面を示す図（その２）である。
【００９０】
図１６に示されるように、承認者の端末装置に表示される制御承認依頼内容表示画面３２には、承認者のルートが表示されている。なお、図１６は、承認者「富士通  三郎」の端末装置に表示される制御承認依頼内容表示画面３２の例となっている。
【００９１】
サーバαは、承認者の端末装置より受信した承認依頼応答に含まれる承認結果に基づいて、全ての承認者によって承認されたと判定すると、制御コマンド群Ｂを装置Ａ及び装置Ｂに送信し、制御コマンド群Ｃを装置Ｃ及び装置Ｄに送信し、装置からの応答を例えばクライアント１に送信する（図１５の（８））。
【００９２】
一方、サーバαは、クライアント２より受信した承認依頼応答に含まれる承認結果に基づいて、例えば管理者Ｌが否認した、又は承認者の端末装置より受信した承認依頼応答に含まれる承認結果に基づいて、承認者が制御内容を否認したと判定すると、管理者Ｌ又は承認者が否認した否認結果を、クライアント１に送信する（図１５の（９））。
【００９３】
図１５に示したような処理を行うことによって、ある管理者が依頼した制御が、該制御に係る他の管理者及び該他の管理者に対応する承認者によって、制御の内容が確認され、承認されると、ある管理者の管理領域内にある装置と、管理領域外にある装置（他の管理者の管理領域内にある装置）と、の両方で制御（又は設定）が自動実行される。
【実施例５】
【００９４】
図１７は、ネットワークの管理、制御処理を説明するための図（その５）である。図１７に示されるように、例えばクライアント１は、当該クライアント１のユーザである管理者Ａの要求に応じて、制御コマンド群Ａを作成し（図１７の（１））、サーバαに制御コマンド群Ａを送信する（図１７の（２））。
【００９５】
サーバαは、制御コマンド群Ａを受信すると図９に示したような処理を実行し、制御コマンド群Ａを、解析、分類する（図１７の（３））。例えば、サーバαは、制御コマンド群Ａを、図７に示したように、管理元がクライアント１の制御コマンド群Ｂと、管理元がクライアント２の制御コマンド群Ｃと、に解析、分類する。
【００９６】
次にサーバαは、クライアント２へ、制御コマンド群Ｃの承認依頼要求を送信する（図１７の（４））。クライアント２は、サーバαより、制御コマンド群Ｃの承認依頼要求を受信すると、例えば図１１に示したような制御承認依頼内容表示画面３２をクライアント２のディスプレイ等に表示する。
【００９７】
クライアント２のユーザである管理者Ｌは、例えば図１１に示したような制御承認依頼内容表示画面３２を用いて、制御コマンド群Ｃに係る制御内容を確認し、制御を許可（承認）する場合は、チェックボックスにチェックをいれる（図１７の（５））。
【００９８】
クライアント２は、例えば管理者Ｌによって、承認ボタンを押されると、管理者Ｌの承認結果を含む承認依頼応答を、サーバαに送信する（図１７の（６））。
【００９９】
サーバαは、クライアント２より受信した承認依頼応答に含まれる承認結果に基づいて、例えば管理者Ｌが制御内容を承認したと判定すると、制御コマンド群Ｂの中の制御コマンドを一つクライアント１に送信する（図１７の（７））と共に、制御コマンド群Ｃの中の制御コマンドを一つクライアント２に送信する（図１７の（１１））。
【０１００】
一方、サーバαは、クライアント２より受信した承認依頼応答に含まれる承認結果に基づいて、例えば管理者Ｌが制御内容を否認したと判定すると、否認結果をクライアント１に送信する（図１７の（１５））。
【０１０１】
クライアント１は、サーバαより制御コマンドを受信すると、該制御コマンドに対応する制御を実行するか否かを管理者Ａに問い合わせるポップアップ画面をディスプレイに表示する（図１７の（８））。管理者Ａは、例えば装置Ａ及び／又は装置Ｂの状態に応じて、ポップアップ画面に表示された制御を実行するか否かを判断し、例えば承認ボタンを押す等して判断した結果をクライアント１に通知する。クライアント１は、管理者Ａより、制御を実行する旨の判断結果を受け取ると、承認された制御コマンドをサーバαに送信する（図１７の（９））。また、サーバαは、承認された制御コマンドを、クライアント１より受信すると、対応する装置（装置Ａ及び／又は装置Ｂ）に該制御コマンドを送信する（図１７の（１０））。サーバαは、図１７の（７）及び／又は図１７の（１０）の処理を制御コマンド群Ｂに含まれる制御コマンドの数だけ繰り返す。
【０１０２】
一方、クライアント２は、サーバαより制御コマンドを受信すると、該制御コマンドに対応する制御を実行するか否かを、管理者Ｌに問い合わせるポップアップ画面をディスプレイに表示する（図１７の（１２））。管理者Ｌは、例えば装置Ｃ及び／又は装置Ｄの状態に応じて、ポップアップ画面に表示された制御を実行するか否かを判断し、例えば承認ボタンを押す等して判断した結果をクライアント１に通知する。クライアント２は、管理者Ｌより、制御を実行する旨の判断結果を受け取ると、承認された制御コマンドをサーバαに送信する（図１７の（１３））。また、サーバαは、承認された制御コマンドを、クライアント２より受信すると、対応する装置（装置Ｃ及び／又は装置Ｄ）に該制御コマンドを送信する（図１７の（１４））。サーバαは、図１７の（１１）及び／又は図１７の（１４）の処理を制御コマンド群Ｃに含まれる制御コマンドの数だけ繰り返す。
【０１０３】
なお、上述した実施例に示したように、サーバαは、装置からの制御に係る応答を、例えばクライアント１等に送信する。
【０１０４】
図１７に示したような処理を行うことによって、ある管理者が依頼した制御が、該制御に係る他の管理者によって、制御の内容が確認され、承認されると、ある管理者及び他の管理者は、制御コマンドを一つずつ、例えば装置の状態等を確認しながら、ある管理者の管理領域内にある装置と、管理領域外にある装置（他の管理者の管理領域内にある装置）と、の両方で実行させることができる。
【０１０５】
上述したように、本発明によれば、複数の管理者がネットワークを管理する構成において、制御に係る人的ミスを防止し、セキュリティの安全性を保ったままネットワークを管理することができる。
【０１０６】
以上、本発明の好ましい実施例について詳述したが、本発明は係る特定の実施形態に限定されるものではなく、特許請求の範囲に記載された本発明の要旨の範囲内において、種々の変形・変更が可能である。
【０１０７】
なお、本発明は、以下に記載する付記のような構成が考えられる。
（付記１）
自身の管理領域に設置された少なくとも１つ以上の装置を、対応するサーバを介して各々管理する複数のクライアントを含むネットワーク管理システムにおけるネットワーク管理方法であって、
前記サーバの一つである第一サーバが、前記クライアントの１つである第一クライアントから送信された、前記第一クライアントの管理領域以外の領域に設置された装置に係る制御コマンド群を含む第一制御コマンド群を、格納手段に保持している管理領域に係る情報に基づいて解析する解析段階と、
前記第一サーバが、前記解析段階において解析した結果に基づいて、前記第一制御コマンド群を、装置の管理元であるクライアント別に分類する分類段階と、
前記第一サーバが、前記分類段階において分類された制御コマンド群に係る承認依頼要求を、対応するクライアントに送信する第一承認依頼要求送信段階と、
前記第一サーバが、前記第一承認依頼要求送信段階において送信した送信先のクライアントから承認結果を含む承認依頼応答を受信する第一承認依頼応答受信段階と、
前記第一サーバが、前記分類段階において分類された制御コマンド群を、対応する装置に送信する制御コマンド群送信段階と、
を有することを特徴とするネットワーク管理方法。
（付記２）
前記第一承認依頼要求送信段階では、前記第一サーバが、複数のクライアントに対して、対応する承認依頼要求を送信し、
前記制御コマンド群送信段階では、前記第一承認依頼応答受信段階において受信した全ての承認依頼応答に、承認した旨の承認結果が含まれていた場合、前記第一サーバが、前記分類段階において分類された制御コマンド群を、対応する装置に送信することを特徴とする付記１記載のネットワーク管理方法。
（付記３）
前記第一承認依頼応答受信段階において受信した承認依頼応答に、一部の制御を承認し、他の制御を承認しない旨の承認結果が含まれていた場合、
前記制御コマンド群送信段階は、
前記第一サーバが、該承認結果を、前記第一制御コマンド群の送信元である前記第一クライアントに送信する承認結果送信段階と、
前記第一サーバが、前記承認結果送信段階で送信した送信先の前記第一クライアントから受信した承認結果確認応答に応じて、前記分類段階において分類された制御コマンド群の一部を、対応する装置に送信する制御コマンド群一部送信段階と、
を含むことを特徴とする付記１又は２記載のネットワーク管理方法。
（付記４）
前記ネットワーク管理システムは、各クライアントの管理者に応じて、承認者に対応する少なくとも１つ以上の承認者装置を更に含み、
前記第一サーバが、前記分類段階において分類された制御コマンド群に係る承認依頼要求を、管理領域に係る情報に基づいて、対応する前記承認者装置に送信する第二承認依頼要求送信段階と、
前記第一サーバが、前記第二承認依頼要求送信段階において送信した送信先の承認者装置から承認結果を含む承認依頼応答を受信する第二承認依頼応答受信段階と、
を更に有することを特徴とする付記１乃至３何れか一項記載のネットワーク管理方法。
（付記５）
前記第一サーバが、前記第一承認依頼応答受信段階後、前記分類段階において分類された制御コマンド群に含まれる制御コマンドの実行確認要求を、該制御コマンド群の制御コマンドの数に応じて一つずつ対応するクライアントに送信し、対応する確認応答を受信する制御コマンド確認要求送受信段階を更に有し、
前記制御コマンド群送信段階は、前記クライアントの確認応答に応じて、対応する制御コマンドを一つずつ対応する装置に送信することを特徴とする付記１乃至４何れか一項記載のネットワーク管理方法。
（付記６）
自身の管理領域に設置された少なくとも１つ以上の装置を、対応するサーバを介して各々管理する複数のクライアントを含むネットワーク管理システムであって、
前記サーバの一つである第一サーバは、
前記クライアントの１つである第一クライアントから送信された、前記第一クライアントの管理領域以外の領域に設置された装置に係る制御コマンド群を含む第一制御コマンド群を、格納手段に保持している管理領域に係る情報に基づいて解析する解析手段と、
前記解析手段において解析した結果に基づいて、前記第一制御コマンド群を、装置の管理元であるクライアント別に分類する分類手段と、
前記分類手段において分類された制御コマンド群に係る承認依頼要求を、対応するクライアントに送信する第一承認依頼要求送信手段と、
前記第一承認依頼要求送信手段において送信した送信先のクライアントから承認結果を含む承認依頼応答を受信する第一承認依頼応答受信手段と、
前記分類手段において分類された制御コマンド群を、対応する装置に送信する制御コマンド群送信手段と、
を有することを特徴とするネットワーク管理システム。
（付記７）
前記クライアントは、
自身の管理領域以外の領域に設置された装置の制御に係る画面を表示する制御画面表示手段と、
前記制御に係る画面において選択又は入力された情報に基づいて、前記制御コマンド群を、対応するサーバに送信する制御コマンド群送信手段と、
を有することを特徴とする付記６記載のネットワーク管理システム。
（付記８）
前記クライアントは、前記承認依頼要求に応じて、承認依頼内容に係る画面を表示する承認依頼内容表示手段を更に有することを特徴とする付記６又は７記載のネットワーク管理システム。
（付記９）
自身の管理領域に設置された少なくとも１つ以上の装置を、対応するサーバを介して各々管理する複数のクライアントを含むネットワーク管理システムにおける前記サーバの一つである第一サーバを、
前記クライアントの１つである第一クライアントから送信された、前記第一クライアントの管理領域以外の領域に設置された装置に係る制御コマンド群を含む第一制御コマンド群を、格納手段に保持している管理領域に係る情報に基づいて解析する解析手段と、
前記解析手段において解析した結果に基づいて、前記第一制御コマンド群を、装置の管理元であるクライアント別に分類する分類手段と、
前記分類手段において分類された制御コマンド群に係る承認依頼要求を、対応するクライアントに送信する第一承認依頼要求送信手段と、
前記第一承認依頼要求送信手段において送信した送信先のクライアントから承認結果を含む承認依頼応答を受信する第一承認依頼応答受信手段と、
前記分類手段において分類された制御コマンド群を、対応する装置に送信する制御コマンド群送信手段と、
して実行させるネットワーク管理プログラム。
（付記１０）
自身の管理領域に設置された少なくとも１つ以上の装置を、対応するサーバを介して各々管理する複数のクライアントを含むネットワーク管理システムにおける前記サーバの一つである第一サーバを、
前記クライアントの１つである第一クライアントから送信された、前記第一クライアントの管理領域以外の領域に設置された装置に係る制御コマンド群を含む第一制御コマンド群を、格納手段に保持している管理領域に係る情報に基づいて解析する解析手段と、
前記解析手段において解析した結果に基づいて、前記第一制御コマンド群を、装置の管理元であるクライアント別に分類する分類手段と、
前記分類手段において分類された制御コマンド群に係る承認依頼要求を、対応するクライアントに送信する第一承認依頼要求送信手段と、
前記第一承認依頼要求送信手段において送信した送信先のクライアントから承認結果を含む承認依頼応答を受信する第一承認依頼応答受信手段と、
前記分類手段において分類された制御コマンド群を、対応する装置に送信する制御コマンド群送信手段と、
して実行させるネットワーク管理プログラムを記録したコンピュータ読み取り可能な記録媒体。
【図面の簡単な説明】
【０１０８】
【図１】複数の管理者によって管理されるネットワークの一例を示す図である。
【図２】サーバの一例のハードウェア構成図である。
【図３】クライアントの一例のハードウェア構成図である。
【図４】サーバの一例の機能構成図である。
【図５】クライアントの一例の機能構成図である。
【図６】パス設定画面の一例を示す図である。
【図７】サーバ内での制御コマンド群の解析、分類処理の概念図である。
【図８】管理領域情報の一例を示す図である。
【図９】サーバにおける制御コマンド群の解析、分類処理の一例のフローチャートである。
【図１０】ネットワークの管理、制御処理を説明するための図（その１）である。
【図１１】制御承認依頼内容表示画面を示す図（その１）である。
【図１２】ネットワークの管理、制御処理を説明するための図（その２）である。
【図１３】ネットワークの管理、制御処理を説明するための図（その３）である。
【図１４】承認結果画面の一例を示す図である。
【図１５】ネットワークの管理、制御処理を説明するための図（その４）である。
【図１６】制御承認依頼内容表示画面を示す図（その２）である。
【図１７】ネットワークの管理、制御処理を説明するための図（その５）である。
【符号の説明】
【０１０９】
３１    パス設定画面
３２    制御承認依頼内容表示画面
３３    承認結果表示画面
５１    管理領域情報管理部
５２    解析部
５３    分類部
５４    制御コマンド群管理部
５５    承認依頼要求送信部
５６    承認依頼応答受信部
５７    制御コマンド群送信部
６１    画面制御部
６２    画面表示部
６３    制御コマンド群送信部
６４    承認依頼要求受信部
６５    承認依頼応答送信部
【図１】
2006148595.tif 000003
【図２】
2006148595.tif 000004
【図３】
2006148595.tif 000005
【図４】
2006148595.tif 000006
【図５】
2006148595.tif 000007
【図６】
2006148595.tif 000008
【図７】
2006148595.tif 000009
【図８】
2006148595.tif 000010
【図９】
2006148595.tif 000011
【図１０】
2006148595.tif 000012
【図１１】
2006148595.tif 000013
【図１２】
2006148595.tif 000014
【図１３】
2006148595.tif 000015
【図１４】
2006148595.tif 000016
【図１５】
2006148595.tif 000017
【図１６】
2006148595.tif 000018
【図１７】
2006148595.tif 000019